(57)【要約】【課題】スーツケースの収納部の形状を変形させることなく、製品の固有情報の剥離を抑制することが可能なスーツケースを提供する。【解決手段】スーツケースは、第１の収納部１０と、第２の収納部２０と、第１の収納部の縁に沿って設けられた第１のフレーム３０と、第２の収納部の縁に沿って設けられた第２のフレーム４０と、第１の収納部と第２の収納部とを閉じた状態において第１のフレームの露出する表面に付された固有情報部５０とを具備する。【選択図】図１
0003199128.tif 000002
【実用新案登録請求の範囲】
【請求項１】
第１の収納部と、
第２の収納部と、
前記第１の収納部の縁に沿って設けられた第１のフレームと、
前記第２の収納部の縁に沿って設けられた第２のフレームと、
前記第１の収納部と前記第２の収納部とを閉じた状態において前記第１のフレームの露出する表面に付された固有情報部と、
を具備するスーツケース。
【請求項２】
前記第１のフレームは、
前記第１の収納部の前記縁に沿って設けられた第１の部材と、
前記第１の部材より前記第２のフレーム側に設けられ、前記第１の部材の表面より内側に位置する表面を有する第２の部材と
を備え、
前記固有情報部は、前記第２の部材に付されていることを特徴とする請求項１に記載のスーツケース。
【考案の詳細な説明】
【技術分野】
【０００１】
本考案は、開閉部のフレームに固有情報を付したスーツケースに関する。
【背景技術】
【０００２】
従来、スーツケースの品番等を識別し、商品管理をする手法としては、バーコードを印刷したラベルを対象物に貼付する手段がとられている。また、スーツケースの収納部の表面に凹部を設け、この凹部の底面に符号を付したラベルが貼り付けられている（例えば、特許文献１参照）。
【先行技術文献】
【特許文献】
【０００３】
【特許文献１】実開平５−２１７２３号
【考案の開示】
【考案が解決しようとする課題】
【０００４】
従来のスーツケースにおいて、ラベルを対象物に貼り付ける場合は、ラベルが剥離し易い。一方、収納部の凹部に貼り付けられたラベルは、スーツケースから剥離し難いが、スーツケースの収納部の表面形状を変形させる必要があり、製造工程が複雑化する。
【０００５】
本考案は、スーツケースの収納部を変形させることなく、製品の固有情報の剥離を抑制することが可能なスーツケースを提供する。
【課題を解決するための手段】
【０００６】
本考案の一実施形態に係るスーツケースは、第１の収納部と、第２の収納部と、前記第１の収納部の縁に沿って設けられた第１のフレームと、前記第２の収納部の縁に沿って設けられた第２のフレームと、前記第１の収納部と前記第２の収納部とを閉じた状態において前記第１のフレームの露出する表面に付された固有情報部とを具備する。
【考案の効果】
【０００７】
本考案は、スーツケースの収納部を変形させることなく、製品の固有情報の剥離を抑制することが可能なスーツケースを提供することができる。
【図面の簡単な説明】
【０００８】
【図１】本考案の一実施形態に係るスーツケースを示す斜視図。
【図２】本考案の一実施形態に係るフレームを示す斜視図、前面図及び側面図。
【図３】本考案の一実施形態に係るスーツケースの閉じた状態を示す上面図。
【考案を実施するための形態】
【０００９】
以下、実施形態について、図面を参照して説明する。尚、以下の説明において、同一の機能及び構成を有する要素については、共通する参照符号を付す。
【００１０】
［１］スーツケース
図１は、本考案の一実施形態に係るスーツケースの斜視図を示す。以下、図１を参照して、スーツケースの概略的な構造について説明する。
図１に示すように、本実施形態に係るスーツケース１は、第１の収納部１０、第２の収納部２０、第１のフレーム３０、第２のフレーム４０、固有情報部５０、トップハンドル６０、キャリーハンドル７０、サイドハンドル８０及びキャスター９０を備えている。尚、スーツケース１の部品については、図示する部品に限定されず、適宜追加、変更等が可能である。
【００１１】
第１の収納部１０及び第２の収納部２０は、所定容量の衣服類等の荷物を収納及び保管することができ、ヒンジ部（図示せず）を介して開閉可能になっている。第１の収納部１０及び第２の収納部２０は、金属製、プラスチップ製、布製等の箱型で形成されている。第１の収納部１０及び第２の収納部２０は、同じ形状であってもよく、異なる形状であってもよい。本実施形態の場合、第１の収納部１０は、第２の収納部２０よりも容積の大きな形状となっている。但し、第１の収納部１０及び第２の収納部２０の形状、素材等については、これらに限定されず、種々変更可能である。
【００１２】
第１のフレーム３０は、第１の収納部１０の縁に沿って設けられている。第２のフレーム４０は、第２の収納部２０の縁に沿って設けられている。第１のフレーム３０及び第２のフレーム４０は、アルミニウム等で形成されている。第１のフレーム３０の詳細については後述する。
【００１３】
固有情報部５０は、第１のフレーム３０の表面に付されている。固有情報部５０に付される情報としては、例えば、製品毎の番号が挙げられる。ここで、製品毎の番号とは、同じ型番の製品であっても、個々の製品毎に異なる番号が付されるものであり、スーツケース１つ１つに異なる番号が振られている。尚、固有情報部５０には、シリアルナンバー（シリアル番号）や製品番号等が付されてもよい。
固有情報部５０の情報は、金属プレート等の部品に付され、この部品を第１のフレーム３０に取り付けてもよい。固有情報部５０の情報は、数字やアルファベット等の文字で表示されてもよいし、バーコードのような１次元コードやＱＲコード（登録商標）のような２次元コードで表示されてもよい。
【００１４】
トップハンドル６０は、第１のフレーム３０の上面上に取り付けられている。キャリーハンドル７０は、第１の収納部１０に設けられ、上下に伸縮可能なパイプに取り付けられている。サイドハンドル８０は、第１のフレーム３０の側面上に取り付けられている。
【００１５】
キャスター９０は、第１の収納部１０及び第２の収納部２０の底面に取り付けられている。このキャスター９０が回転することで、スーツケース１を容易に移動させることができる。
【００１６】
［２］フレーム
図２（ａ）乃至（ｃ）は、本考案の一実施形態に係るフレームの斜視図、前面図及び側面図を示す。以下、図２（ａ）乃至（ｃ）を用いて、フレームの形状について説明する。
図２（ａ）乃至（ｃ）に示すように、第１のフレーム３０は、第１の部材３１と第２の部材３２とを有している。第１の部材３１は、第１の収納部１０の縁に沿って設けられている。第２の部材３２は、第１の部材３１に接し、第１の部材３１より第２のフレーム４０側に設けられている。第１のフレーム３０において、第２の部材３２の表面は、第１の部材３２の表面より内側に位置している。換言すると、第２の部材３２は、第１の部材３１よりも小さな環状で形成されている。
【００１７】
第１の部材３１と第２の部材３２とは、一体形成されてもよいし、別々に形成された後に貼り合わせてもよい。
固有情報部５０は、フレーム３０の窪んだ表面（第２の部材３２の表面）に設けられている。
【００１８】
尚、本実施形態の第２のフレーム４０については、第１のフレーム３０の第１の部材３１と同様の形状を有しているが、種々変更可能である。
【００１９】
［３］固有情報部の位置
図３は、本考案の一実施形態に係るスーツケースの閉じた状態の上面図を示す。以下、閉じた状態のスーツケースにおける固有情報部の位置について説明する。
図３に示すように、第１の収納部１０と第２の収納部２０とを閉じた状態において、第２のフレーム４０は、第１のフレーム３０の第２の部材３２の一部を覆う。このようなスーツケース１を閉じた状態において、固有情報部５０は、第１のフレーム３０の第２の部材３２の露出する表面に付されている。つまり、スーツケース１を閉じた状態で、固有情報部５０の情報を確認することができる。
尚、固有情報部５０は、スーツケース１の上面側の第１のフレーム３０の第２の部材３２の露出面に付されているが、これに限定されず、第１のフレーム３０の第２の部材３２の露出面であれば、スーツケース１の側面側や底面側に付してもよい。
【００２０】
［４］効果
本考案の一実施形態によれば、スーツケース１の収納部１０の縁に設けられたフレーム３０の窪んだ表面に、固有情報部５０が設けられている。この固有情報部５０は、フレーム３０に直接印字されたり、印字したプレートを取り付けたりして形成されている。これにより、固有情報部５０がスーツケース１に直接取り付けられ、剥がれることを抑制できる。
【００２１】
また、固有情報部５０は、フレーム３０の窪んだ部分に設けられている。このため、窪んだ部分（フレーム３０の第２の部材３２）は、突出した部分（フレーム３０の第１の部材３１やフレーム４０）によって保護されるため、外部からの衝撃等を直接受け難く、剥がれることをさらに抑制することができる。
さらに、固有情報部５０は、フレーム３０に設けるため、収納部１０及び２０の形状を変形させる必要はない。
【００２２】
以上のように、本実施形態によれば、スーツケース１の収納部１０及び２０の形状を変形させることなく、製品の固有情報の剥離を抑制することができる。
尚、本考案の実施形態を説明したが、これらの実施形態は、一例として提示したものであり、考案の範囲を限定することは意図していない。これら新規な実施形態は、その他の様々な形態で実施されることが可能であり、考案の要旨を逸脱しない範囲で、種々の省略、置き換え、変更を行うことができる。
【符号の説明】
【００２３】
１  スーツケース
１０、２０  収納部
３０、４０  フレーム
５０  固有情報部
６０  トップハンドル
７０  キャリーハンドル
８０  サイドハンドル
９０  キャスター
【図１】
0003199128.tif 000003
【図２】
0003199128.tif 000004
【図３】
0003199128.tif 000005